(57)【要約】【課題】他人が指示した画像形成処理に対して課金されてしまうのを防ぐことができる。【解決手段】画像形成装置１００は、画像形成処理の実行に対して課金する課金手段と、画像形成処理の実行を受け付ける受付手段と、前記課金手段により、前記受付手段が受け付けた画像形成処理に対する課金が可能な状態となった場合に、前記受付手段が受け付けた画像形成処理を実行する実行手段と、前記受付手段が複数の画像形成処理の一括処理を受け付けた場合において、当該一括処理の実行中に他の画像形成処理が割り込まれた場合に、当該他の画像形成処理に対して前記課金手段が課金するのを禁止するように前記課金手段を制御する制御手段と、を備える。【選択図】図１
2013111825.tif 000002
【特許請求の範囲】
【請求項１】
画像形成処理の実行に対して課金する課金手段と、
画像形成処理の実行を受け付ける受付手段と、
前記課金手段により、前記受付手段が受け付けた画像形成処理に対する課金が可能な状態となった場合に、前記受付手段が受け付けた画像形成処理を実行する実行手段と、
前記受付手段が複数の画像形成処理の一括処理を受け付けた場合において、当該一括処理の実行中に他の画像形成処理が割り込まれた場合に、当該他の画像形成処理に対して前記課金手段が課金するのを禁止するように前記課金手段を制御する制御手段と、
を備えた画像形成装置。
【請求項２】
前記制御手段は、前記他の画像形成処理が割り込まれた場合に、当該他の画像形成処理を保留し、当該他の画像形成処理に対して前記課金手段による課金が可能な状態となった場合に、当該他の画像形成処理を実行するように前記実行手段を制御する
請求項１記載の画像形成装置。
【請求項３】
前記制御手段は、前記他の画像形成処理が割り込まれた場合に、通信回線を介して接続された他の画像形成装置に前記他の画像形成処理を実行させる
を備えた請求項１記載の画像形成装置。
【請求項４】
前記制御手段は、前記他の画像形成処理が割り込まれた場合に、当該他の画像形成処理を破棄する
を備えた請求項１記載の画像形成装置。
【請求項５】
前記制御手段は、前記他の画像形成処理が割り込まれた場合に、前記複数の画像形成処理の一括処理を優先して実行し、その後、前記他の画像形成処理を実行するように前記実行手段を制御する
請求項１記載の画像形成装置。
【請求項６】
画像形成処理の実行に対して課金するステップと、
画像形成処理の実行を受け付けるステップと、
受け付けた画像形成処理に対する課金が可能な状態となった場合に、受け付けた画像形成処理を実行するステップと、
複数の画像形成処理の一括処理を受け付けた場合において、当該一括処理の実行中に他の画像形成処理が割り込まれた場合に、当該他の画像形成処理に対して課金するのを禁止するように制御するステップと、
を含む処理をコンピュータに実行させるための画像形成プログラム。
【発明の詳細な説明】
【技術分野】
【０００１】
本発明は、画像形成装置及び画像形成プログラムに関する。
【背景技術】
【０００２】
特許文献１には、利用者を限定するための課金装置と接続された印刷制御装置において、上記課金装置による課金に対して、識別子を割り当てる識別子割当手段と、上記識別子割当手段によって割り当てた識別子を利用者に報知する報知手段と、上記識別子割当手段によって割り当てた識別子とホスト装置から与えられた識別子とが一致しているか否かを判別する識別子判別手段と、上記識別子判別手段により識別子が一致することが確認された場合ホスト装置からのデータの印刷処理を可能とする印刷制御手段とを備えたことを特徴とする印刷制御装置が記載されている。
【先行技術文献】
【特許文献】
【０００３】
【特許文献１】特開２００４−５７３６号公報
【発明の概要】
【発明が解決しようとする課題】
【０００４】
本発明は、他人が指示した画像形成処理に対して課金されてしまうのを防ぐことができる画像形成装置及び画像形成プログラムを提供することを目的とする。
【課題を解決するための手段】
【０００５】
上記目的を達成するために、請求項１記載の発明の画像形成装置は、画像形成処理の実行に対して課金する課金手段と、画像形成処理の実行を受け付ける受付手段と、前記課金手段により、前記受付手段が受け付けた画像形成処理に対する課金が可能な状態となった場合に、前記受付手段が受け付けた画像形成処理を実行する実行手段と、前記受付手段が複数の画像形成処理の一括処理を受け付けた場合において、当該一括処理の実行中に他の画像形成処理が割り込まれた場合に、当該他の画像形成処理に対して前記課金手段が課金するのを禁止するように前記課金手段を制御する制御手段と、を備える。
【０００６】
請求項２記載の発明は、前記制御手段は、前記他の画像形成処理が割り込まれた場合に、当該他の画像形成処理を保留し、当該他の画像形成処理に対して前記課金手段による課金が可能な状態となった場合に、当該他の画像形成処理を実行するように前記実行手段を制御する。
【０００７】
請求項３記載の発明は、前記制御手段は、前記他の画像形成処理が割り込まれた場合に、通信回線を介して接続された他の画像形成装置に前記他の画像形成処理を実行させる。
【０００８】
請求項４記載の発明は、前記制御手段は、前記他の画像形成処理が割り込まれた場合に、当該他の画像形成処理を破棄する。
【０００９】
請求項５記載の発明は、前記制御手段は、前記他の画像形成処理が割り込まれた場合に、前記複数の画像形成処理の一括処理を優先して実行し、その後、前記他の画像形成処理を実行するように前記実行手段を制御する。
【００１０】
請求項６記載の発明の画像形成プログラムは、画像形成処理の実行に対して課金するステップと、画像形成処理の実行を受け付けるステップと、受け付けた画像形成処理に対する課金が可能な状態となった場合に、受け付けた画像形成処理を実行するステップと、複数の画像形成処理の一括処理を受け付けた場合において、当該一括処理の実行中に他の画像形成処理が割り込まれた場合に、当該他の画像形成処理に対して課金するのを禁止するように制御するステップと、を含む処理をコンピュータに実行させるための画像形成プログラムである。
【発明の効果】
【００１１】
請求項１、６記載の発明によれば、自分が指示した画像形成処理であるか他人が指示した画像形成処理であるかに関係なく課金手段が課金する場合と比較して、他人が指示した画像形成処理に対して自分のお金が課金されてしまうのを防ぐことができる、という効果を有する。
【００１２】
請求項２記載の発明によれば、他の画像形成処理の実行を禁止する場合と比較して、他の画像形成処理の実行を再度指示する手間を省くことができる、という効果を有する。
【００１３】
請求項３記載の発明によれば、他の画像形成処理の実行を禁止する場合と比較して、他の画像形成処理の実行を再度指示する手間を省くことができる、という効果を有する。
【００１４】
請求項４記載の発明によれば、他の画像形成処理が割り込まれた場合に、他の画像形成処理を保留する場合と比較して、装置の処理不可を軽減することができる、という効果を有する。
【００１５】
請求項５記載の発明によれば、他の画像形成処理が割り込まれた場合に、他の画像形成処理の実行を許可する場合と比較して、複数の画像形成処理の一括処理を速やかに処理することができる、という効果を有する。
【図面の簡単な説明】
【００１６】
【図１】画像形成装置のハードウェア構成の一例を示したブロック図である。
【図２】画像形成装置が接続されるネットワークの構成図である。
【図３】画像形成装置のＣＰＵで実行される処理のフローチャートである。
【発明を実施するための形態】
【００１７】
以下、本発明の実施形態について説明する。
【００１８】
本実施形態では、利用者に提供する画像形成処理として例えば原稿を読み取って画像データを取得するスキャン処理、読み取った原稿を印刷するコピー処理、読み取った原稿をファクシミリ送信する処理、読み取った原稿をメール送信する処理等、複数の画像形成処理を実行する機能を有する画像形成装置に本発明を適用した場合について説明する。
【００１９】
図１には、本発明の一実施形態に係る画像形成装置１００のハードウェア構成を模式的に示している。以下、当該装置１００内の各部について説明する。
【００２０】
ＣＰＵ（Ｃｅｎｔｒａｌ Ｐｒｏｃｅｓｓｉｎｇ Ｕｎｉｔ）１０１は、当該装置１００内の動作を統括的に制御する中央コントローラであり、オペレーティング・システムが提供する実行環境下でプログラムを制御し、コピーやファクシミリ送受信、ネットワーク・プリントといった各種の画像形成処理などに関して主たる制御を行なう。ＣＰＵ１０１は、バス１０２を介して当該装置１００内の各機器と相互接続されている。
【００２１】
ＲＯＭ（Ｒｅａｄ Ｏｎｌｙ Ｍｅｍｏｒｙ）１０３は、読み出し専用の半導体メモリ装置で構成され、ネットワーク・プリントといった画像形成処理などを実行するための各制御プログラムや固定データなどが恒久的に書き込まれている。勿論、フラッシュ・メモリなどのように格納データを電気的に書き換えられるデバイスを用いてＲＯＭ１０３を構成することもでき、必要に応じてプログラムや固定データの更新を行なうようにしてもよい。
【００２２】
ＲＡＭ（Ｒａｎｄｏｍ Ａｃｃｅｓｓ Ｍｅｍｏｒｙ）１０４は、データを書き換えられる半導体メモリ装置で構成され、ＣＰＵ１０１で実行する制御プログラムをＲＯＭ１０２からロードしたり、プログラム実行中の作業データを一時格納したりするなど、プログラム動作のためのシステム・メモリとして使用される。また、画像処理のためのページ・メモリとして、ＲＡＭ１０４が使用される。
【００２３】
ＮＶＲＡＭ（Ｎｏｎ−Ｖｏｌａｔｉｌｅ ＲＡＭ）１０５は、フラッシュ・メモリのように無電源状態でも記憶内容を消失しない、データを書き換えられるメモリで構成され、セキュリティ・データやその他の不揮発性データ、画質調整、各種設定パラメータ、画像形成処理実行時の各種履歴などを格納するために使用される。
【００２４】
ＨＤＤ１０６は、磁気記録式の固定ディスクで構成された大容量外部記憶装置であり、原稿から読み取った画像データを蓄積したり、画像形成処理実行時の各種履歴を保存したり、さらにはＣＰＵ１０１において実行するプログラムをインストールするために使用される。
【００２５】
画像処理部１０７は、原稿から読み取った画像データ、あるいはネットワーク経由でダウンロードした画像データなどに対し、伸張圧縮処理や、画質調整などの各種画像処理を施す。
【００２６】
画像形成装置１００は、ユーザ・インターフェース１０９として、液晶ディスプレイなどで構成された表示部１１０と、スタート／ストップ／テンキーなどのハードウェア・キーを備えた（あるいは表示部１１０を兼ねたタッチパネルを備えた）操作部１１１を備え、これらはＵＩインターフェース１０８を介してバス１０２に接続されている。但し、ＵＩインターフェース１０８を介さず、ＣＰＵ１０１がユーザ・インターフェース１０９を直接制御するように構成するようにしてもよい。
【００２７】
また、通信インターフェース１１２を経由して、各種の外部装置やネットワーク・インターフェースなどがバス１０２に接続されている。
【００２８】
ＬＡＮインターフェース１１３は、１０／１０００Ｂａｓｅ−Ｔなど、予め定めたプロトコルに従って画像形成装置１００をネットワーク接続する。また、無線ＬＡＮを含めるようにしてもよい。
【００２９】
画像形成装置１００は、ＬＡＮ越しにインターネットなどの外部ネットワークに接続し、所望の情報資源にアクセスする。また、画像形成装置１００は、利用者が使用するパーソナル・コンピュータ（ＰＣ）や携帯端末（いずれも図示しない）から、コピーやファクシミリ送受信、コンテンツ探索やその他のコンテンツ処理、ネットワーク・プリントといった、各種の画像形成処理の内容が定められた指示書データを受信し、指示に従って画像形成処理を実行する。また、予め定めた複数の画像形成処理の内容が定められた指示書データが予めＨＤＤ１０６等に記憶され、記憶された指示書データの中から利用者が選択した指示書データを実行する場合もある。さらに、利用者が複数の画像形成処理を指示し、指示された複数の画像形成処理を一括して実行する場合もある。
【００３０】
また、画像形成装置１００には、ＩＣカード１３０に対して非接触・近距離通信を行なうために、ＩＣカード読み書き装置１３１をＵＳＢ（Ｕｎｉｖｅｒｓａｌ Ｓｅｒｉａｌ Ｂｕｓ）インターフェース１１４経由でバス１０２に接続可能となっている。ＵＳＢ１１４は、例えばＵＳＢ１．１又はＵＳＢ２．０に準拠している。
【００３１】
ＩＣカード読み書き装置１３１が接続された場合、ＩＣカード１３０とＩＣカード読み書き装置１３１間では、電磁結合、電磁誘導、あるいは電波通信などの方式による伝送路上で、予め定めた相互認証処理を経て、高い耐タンパ性を保ちながら非接触・近距離通信を行なう。但し、ＩＣカード１３０を利用した非接触通信の仕組み自体は本発明の要旨に直接関係しないので、ここではこれ以上説明しない。また、ＩＣカード１３０とＩＣカード読み書き装置１３１間の通信は、非接触・近距離通信に限らず、ＩＣカード読み書き装置１３１にＩＣカード１３０の挿入口が設けられ、この挿入口にＩＣカード１３０をセットすることによってＩＣカード読み書き装置１３１と有線通信するものでもよい。
【００３２】
なお、ＩＣカード１３０は、例えば電子マネーとしての機能を有するものがあり、画像形成装置１００が提供するサービスに対して課金が可能である。従って、電子マネーとしての機能を有するＩＣカード３０がセットされた場合には、ＩＣカード読み書き装置１３１は、課金装置として機能する。
【００３３】
また、ＩＣカード１３０は、画像形成装置１００の利用者を特定するための情報、例えば利用者を特定するための識別符号である利用者ＩＤ等の利用者特定情報が予め記録されている場合がある。なお、利用者特定情報は、必ずしも利用者個人を特定するための情報とは限らず、ＩＣカード１３０に固有に付与されたカードＩＤ等、そのＩＣカード１３０自体を特定できる情報も含む。
【００３４】
また、画像形成装置１００は、課金装置としてのコインキット１３２をＲＳ２３２Ｃあるいはその他のシリアル・インターフェース１１５経由でバス１０２に接続可能となっている。図１では、ＩＣカード読み書き装置１３１及びコインキット１３２の両方が接続された場合を示しているが、画像形成処理に対して課金する場合には、少なくとも一方が接続されていればよい。
【００３５】
なお、コインキット１３２は、硬貨やこれと同等の価値を有するコイン等を投入することによって画像形成装置１００が提供する画像形成処理について課金するための課金装置である。このため、コインキット１３２は、ＩＣカード読み書き装置１３１と異なり、画像形成装置１００の利用者を特定するための利用者特定情報を取得することは不可能である。
【００３６】
モデム１１６は、コンピュータ上の信号と公衆回線上の信号の相互変換を行なう変復調装置からなり、ファクシミリなどの公衆回線への接続を行ない、通常のファクシミリ送受信や、時刻指定送信、その他の各種のファクシミリ機能を提供する。
【００３７】
デバイス・インターフェース１１８は、例えばＲＳ４２２などで構成され、画像形成装置１００を構成する各種機器をバス１０２に接続するためのインターフェース・プロトコルを実現する。
【００３８】
画像形成装置１００を構成する機器として、例えば原稿から画像を読み取る読取装置部１１９と、画像を用紙上に印刷出力する印刷装置部１２０が挙げられる。
【００３９】
読取装置部１１９は、一般的には、原稿を載せるプラテンと画像読み取りを行なうスキャナの組み合わせで構成され、自動原稿読取装置であってもよい。読み取り画像は、必要に応じて画像処理部１０７において画像処理が施され、印刷装置部１２０に画像出力され、あるいはＨＤＤ１０６に保存される。
【００４０】
印刷装置部１２０は、例えば電子写真方式のプリント・エンジン部を備えている。電子写真プロセスは、電子写真感光体に対する帯電、スキャンした原稿イメージの露光、現像すなわち感光体表面の静電潜像へのトナー重畳、用紙へのトナー転写及びトナー定着、感光体のクリーニングという複数のサブプロセスを含む。但し、プリント・エンジンの構成自体は本発明の要旨に直接関連しないので、ここではこれ以上説明しない。印刷装置部１２０によって印字された用紙は、排出用紙格納部１２１に排出される。
【００４１】
画像形成装置１００の利用者は、様々な画像形成処理の実行が受けられる。本実施形態では、画像形成処理とは、文書データ（文書及び画像の少なくとも一方を含むデータ）に対して施す処理であり、例えばコピー処理、プリント処理、ファクシミリ送信処理、メール送信処理、スキャン処理等があるが、これに限られるものではない。
【００４２】
このような画像形成装置１００は、図２に示すように、ＬＡＮ１１３を介してネットワーク１５０に接続される。このネットワーク１５０には、文書データ等を格納するサーバー１５２、パーソナルコンピュータ１５４等が接続される。
【００４３】
画像形成装置１００の利用者は、画像形成装置１００の操作部１１１を操作することにより、読取装置部１１９にセットした原稿のコピー処理やファクシミリ送信処理、スキャン処理、画像形成装置１００のＨＤＤ１０６に格納された文書データやサーバー１５２に格納された文書データのプリント処理等の各種画像形成処理に関するサービスを受けられる。また、パーソナルコンピュータ１５４から文書データのプリントを画像形成装置１００に対して指示することにより、文書データのプリント処理等の画像形成処理に関するサービスも受けられる。
【００４４】
なお、課金が必要な画像形成処理については、コインキット１３２にお金を投入したり、ＩＣカード読み書き装置１３１に電子マネーの機能を有するＩＣカード１３０をセットしたりすることで課金が可能な状態とすることにより、画像形成処理に関するサービスを受けられる。
【００４５】
ここで、コインキット１３２は、投入された硬貨から画像形成処理に応じた金額を課金するものであるので、利用者を特定するための利用者特定情報を取得することができない。このため、利用者がコインキット１３２に硬貨を投入し、例えば複数の文書を指定して一括プリント処理の実行を指示した場合において、複数の文書のプリント処理の間に、パーソナルコンピュータ１５４から指示された他人のプリント処理等が割り込まれた場合、その他人のプリント処理に対して課金されてしまう虞がある。
【００４６】
そこで、本実施形態では、詳細は後述するが、利用者が指示した画像形成処理に対する課金がコインキット１３２により行われる場合において、複数の画像形成処理の一括処理が指示された場合には、割り込まれた他人が指示した画像形成処理に対して自身が投入した硬貨から課金されないように、他人の画像形成処理の実行をキャンセルしたり、禁止したり、保留したりする。
【００４７】
次に、ＣＰＵ１０１で実行される処理について、図３に示すフローチャートを参照して説明する。なお、以下では、課金装置としてコインキット１３２が接続されており、利用者がプリント処理を実行する場合について説明する。
【００４８】
図３に示す処理は、利用者が表示部１０１に表示されたメニュー画面からプリント処理を選択した場合に実行され、ＣＰＵ１０１が例えばＲＯＭ１０３又はＨＤＤ１０６に格納されている予め定めた制御プログラムをＲＡＭ１０４上にロードして実行することにより実現される。
【００４９】
図３に示すステップ２００では、プリントする文書を選択するための文書選択画面を表示部１０１に表示させる。
【００５０】
ステップ２０２では、利用者がプリントさせる文書を選択したか否かを判断し、文書を選択した場合にはステップ２０４へ移行し、文書が選択されていない場合には、文書が選択されるまで待機する。
【００５１】
ステップ２０４では、利用者により硬貨がコインキット１３２に投入され、かつ、プリント開始が指示されたか否かを判断し、利用者により硬貨がコインキット１３２に投入され、かつ、プリント開始が指示された場合にはステップ２０６へ移行し、そうでない場合には、利用者により硬貨がコインキット１３２に投入され、かつ、プリント開始が指示されるまで待機する。なお、利用者により硬貨がコインキット１３２に投入され、かつ、プリント開始が指示された場合には、選択された文書のプリント処理は実行待ち状態となる。
【００５２】
ステップ２０６では、選択した文書のプリント処理を、自分がコインキット１３２に投入した硬貨から課金可能な実行可能のプリント処理であることを示す実行可能情報を、その文書と関連付けて例えばＲＡＭ１０４等に記憶する。複数の文書が選択された場合には、それら複数の文書の全てについて、実行可能情報と関連付けて記憶される。
【００５３】
ステップ２０８では、実行待ちとなっているプリント処理が、実行可能プリント処理であるか否かが判断され、実行可能プリント処理である場合には、ステップ２１２へ移行し、実行可能プリント処理でない場合には、ステップ２１４へ移行する。ここで、実行可能プリント処理でない場合とは、自分がコインキット１３２に投入した硬貨から課金できない他人のプリント処理、例えば他人がＰＣ１５４から指示したプリント処理等である。
【００５４】
ステップ２１０では、実行可能プリント処理の選択された文書のプリント処理を実行する。
【００５５】
ステップ２１２では、プリントした文書の種類や印刷枚数に応じた印刷料金を課金する。すなわち、コインキット１３２に投入された硬貨から印刷料金を引き落とす。
【００５６】
一方、ステップ２１４では、実行可能プリント処理でないプリント処理、すなわち他人が指示したプリント処理に対して予め定めた対応処理を実行する。ここで、対応処理としては、他人が指示した文書のプリント処理をキャンセル（破棄）する、他人が指示した文書のプリント処理を保留する、他人が指示した文書のプリント処理をネットワーク１５０に接続された他の画像形成装置に転送する、等の処理がある。なお、例えば他人がＰＣ１５４から指示した文書のプリント処理をキャンセルした場合や、他の画像形成装置に転送した場合には、その旨を示す情報を当該ＰＣ１５４に送信することにより、その他人に対して通知することが好ましい。
【００５７】
ステップ２１６では、実行待ち状態のプリント処理があるか否かを判断し、実行待ち状態のプリント処理が有る場合には、ステップ２０８へ戻って上記と同様の処理を繰り返し、実行待ち状態のプリント処理が無い場合には、ステップ２１８へ移行する。
【００５８】
ステップ２１８では、保留状態の他人のプリント処理があるか否かが判断され、保留状態の他人のプリント処理がある場合には、ステップ２２０へ移行し、保留状態の他人のプリント処理が無い場合には、本ルーチンを終了する。
【００５９】
ステップ２２０では、保留状態の他人の文書のプリント処理に対してコインキット１３２に硬貨が投入されたか否かを判断し、硬貨が投入された場合には、ステップ２２４へ移行し、硬貨が投入されていない場合には、硬貨が投入されるまで待機する。
【００６０】
ステップ２２２では、保留状態の他人の文書のプリント処理を、他人がコインキット１３２に投入した硬貨から課金可能な実行可能プリント処理として、その文書と関連付けて例えばＲＡＭ１０４等に記憶する。そして、ステップ２０８へ戻って上記と同様の処理を繰り返す。
【００６１】
上記のように処理することにより、複数の文書を選択して一括プリント処理をした場合において、他人のプリント処理が割り込まれた場合でも、その他人のプリント処理に対して自分が投入した硬貨から課金されることがない。
【００６２】
また、複数の文書の一括プリントの最中に他人の画像形成処理が割り込まれて、ステップ２１４で他人の画像形成処理を一旦保留した場合には、ステップ２２０でその他人の画像形成処理に対して硬貨が投入されれば、その他人の画像形成処理が実行される。これにより、複数の文書の一括プリント処理の最中であっても、そのプリント処理を中断させることなく、例えばスキャン処理等の他の画像形成処理を実行させられる。
【００６３】
なお、本実施形態では、プリント処理の場合を例に説明したが、コピー処理等の他の画像形成処理についても上記と同様の処理が適用される。
【００６４】
また、本実施形態では、プリント処理に対して必ず課金する場合を例に説明したが、これに限らず、プリント処理等の画像形成処理に対して課金する課金モードと、画像形成処理に対して課金しない非課金モードと、を用意し、課金モードの場合には複数の一括処理の最中に他人の画像形成処理の割り込みを禁止するように制御し、非課金モードの場合は他人の画像形成処理の割り込みを許可するようにしてもよい。
【００６５】
また、本実施形態では、ステップ２０８において、実行待ちとなっているプリント処理が、実行可能プリント処理でない場合、例えば複数の文書の一括プリント処理の最中に他人が指示したプリント処理に割り込まれた場合には、ステップ２１４へ移行して対応処理を実行する場合について説明したが、他人が指示したプリント処理に割り込まれた場合の処理はこれに限られない。例えば、複数の文書の一括プリント処理の最中に他人が指示したプリント処理に割り込まれた場合であっても、複数の文書の一括プリント処理を優先して実行してコインキット１３２に投入された硬貨から課金し、その後、他人のプリント処理を実行するようにしてもよい。
【符号の説明】
【００６６】
１００  画像形成装置
１０１  ＣＰＵ
１０２  バス
１０３  ＲＯＭ
１０４  ＲＡＭ
１０５  ＮＶＲＡＭ
１０６  ＨＤＤ
１０７  画像処理部
１０８  ＵＩインターフェース
１０９  ユーザ・インターフェース
１１０  表示部
１１１  操作部
１１２  通信インターフェース
１１３  ＬＡＮインターフェース
１１４  シリアル・インターフェース
１１５  ＵＳＢインターフェース
１１６  モデム
１１８  デバイス・インターフェース
１１９  読取装置部
１２０  印刷装置部
１２１  排出用紙格納部
１３０  ＩＣカード
１３１  ＩＣカード読み書き装置
１３２  コインキット（課金手段）
１５０ ネットワーク
１５２ サーバー
１５４ パーソナルコンピュータ
【図１】
2013111825.tif 000003
【図２】
2013111825.tif 000004
【図３】
2013111825.tif 000005